(57)【要約】【課題】オペレータにより当該機能の有効／無効を容易に切替えることができる通信装置を提供すること目的とする。【解決手段】アナログ網へ接続して通信動作を行う通信装置において、発呼時、前記アナログ網から受信するダイアルトーンを検出するトーン検出手段を備え、発呼時、前記ダイアルトーンの検出の有効／無効を設定するダイアルトーン検出発信機能設定情報を記憶し、当該記憶したダイアルトーン検出発信機能設定情報に従って、発呼時の選択情報送出動作を制御する一方、前記ダイアルトーン検出発信機能設定情報の設定内容を、ユーザにより変更可能にした。【選択図】        図１
2007116222.tif 000002
【特許請求の範囲】
【請求項１】
アナログ網へ接続して通信動作を行う通信装置において、
発呼時、前記アナログ網から受信するダイアルトーンを検出するトーン検出手段を備え、
発呼時、前記ダイアルトーンの検出の有効／無効を設定するダイアルトーン検出発信機能設定情報を記憶し、
当該記憶したダイアルトーン検出発信機能設定情報に従って、発呼時の選択情報送出動作を制御する一方、
前記ダイアルトーン検出発信機能設定情報の設定内容を、ユーザにより変更可能にしたことを特徴とする通信装置。
【請求項２】
前記ダイアルトーン検出発信機能設定情報の内容が、前記ダイアルトーンの検出が有効に設定されている場合、発呼時にダイアルトーンを検出した後に選択情報を送出するダイアルトーン検出発信動作を行うか否かを、所定回数までの試行により決定するダイアルトーン検出試行モードを備え、
前記ダイアルトーン検出試行モードの結果に応じて、前記ダイアルトーン検出発信動作を行うか否かを決定することを特徴とする請求項１記載の通信装置。
【請求項３】
前記ダイアルトーン検出発信動作を行う旨が設定された後に、前記ダイアルトーン検出動作を適切に行うことができなくなった場合、当該事象をユーザに可視表示するとともに、履歴情報として記憶することを特徴とする請求項２記載の通信装置。
【請求項４】
前記トーン検出手段は、接続される網の種類により、ダイアルトーンの検出条件が異なる値に設定されていることを特徴とする請求項１または請求項２または請求項３記載の通信装置。
【請求項５】
通信動作時、または、通信終了後、前記ダイアルトーン検出発信動作の実行状況をユーザに可視表示することを特徴とする請求項１または請求項２または請求項３または請求項４記載の通信装置。
【発明の詳細な説明】
【技術分野】
【０００１】
本発明は、アナログ網へ接続して通信動作を行う通信装置に関する。
【背景技術】
【０００２】
従来、アナログ網へ接続して通信動作を行う通信装置、例えば、グループ３ファクシミリ装置などでは、ファクシミリ送信時、網からのダイアルトーンを検出して宛先番号（選択情報）を送出する事で誤送信を防止する技術はあった（特許文献１参照）。
【特許文献１】特開平５−２２７４０２号公報
【発明の開示】
【発明が解決しようとする課題】
【０００３】
しかしながら、そのような従来装置では、機器内部で予め保持されている検出用パラメータに従い動作する為、機器接続環境に合わず送信できなかったり、できない場合の接続環境に応じた検出用パラメータのチューニング等、本機能を使う為の機器設定等がオペレータにとって煩わしく且つ困難であった。
【０００４】
本発明は、かかる実情に鑑みてなされたものであり、オペレータにより当該機能の有効／無効を容易に切替えることができる通信装置を提供すること目的とする。
【課題を解決するための手段】
【０００５】
本発明は、アナログ網へ接続して通信動作を行う通信装置において、発呼時、前記アナログ網から受信するダイアルトーンを検出するトーン検出手段を備え、発呼時、前記ダイアルトーンの検出の有効／無効を設定するダイアルトーン検出発信機能設定情報を記憶し、当該記憶したダイアルトーン検出発信機能設定情報に従って、発呼時の選択情報送出動作を制御する一方、前記ダイアルトーン検出発信機能設定情報の設定内容を、ユーザにより変更可能にしたものである。
【０００６】
また、前記ダイアルトーン検出発信機能設定情報の内容が、前記ダイアルトーンの検出が有効に設定されている場合、発呼時にダイアルトーンを検出した後に選択情報を送出するダイアルトーン検出発信動作を行うか否かを、所定回数までの試行により決定するダイアルトーン検出試行モードを備え、前記ダイアルトーン検出試行モードの結果に応じて、前記ダイアルトーン検出発信動作を行うか否かを決定するようにしたものである。
【０００７】
また、前記ダイアルトーン検出発信動作を行う旨が設定された後に、前記ダイアルトーン検出動作を適切に行うことができなくなった場合、当該事象をユーザに可視表示するとともに、履歴情報として記憶するようにしたものである。
【０００８】
また、前記トーン検出手段は、接続される網の種類により、ダイアルトーンの検出条件が異なる値に設定されているものである。
【０００９】
また、通信動作時、または、通信終了後、前記ダイアルトーン検出発信動作の実行状況をユーザに可視表示するようにしたものである。
【発明の効果】
【００１０】
したがって、本発明によれば、オペレータにより、ダイアルトーン検出発信機能の有効／無効を容易に切替えることができるという効果を得る。
【発明を実施するための最良の形態】
【００１１】
以下、添付図面を参照しながら、本発明の実施の形態を詳細に説明する。
【００１２】
図１は、本発明の一実施例にかかるグループ３ファクシミリ装置を示している。
【００１３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、おもに画情報をやりとりするための高速モデム機能（Ｖ．１７モデム、Ｖ．３４モデム、Ｖ．２９モデム、Ｖ．２７ｔｅｒモデムなど）、および、発呼時に網から検出するダイアルトーン等の種々のトーン信号を検出するとともに、所定のトーン信号（例えば、発呼先をあらわす電話番号（選択情報）をあらわすＤＴＭＦ信号等）を送出するためのトーン発生検出器を備えている。
【００１７】
網制御装置１１は、このグループ３ファクシミリ装置をアナログ公衆網ＰＳＴＮ、あるいは、内線網に接続するためのものであり、自動発着信機能を備えている。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１９】
また、網制御装置１１とグループ３ファクシミリモデム１０との間のデータのやりとりは、直接行なわれている。
【００２０】
また、本実施例では、発呼時に、網からダイアルトーンを検出した後に、選択情報（ダイアルパルスまたはＤＴＭＦ）を送出するダイアルトーン検出発信機能を備えており、このダイアルトーン検出発信機能を有効にするかあるいは無効にするかを設定するダイアルトーン検出発信機能設定情報（図２（ａ）参照）を、例えば、パラメータメモリ３に記憶している。
【００２１】
また、本実施例では、ダイアルトーン検出発信機能を常に行うダイアルトーン検出動作オンモード、ダイアルトーン検出発信機能を常に行わないダイアルトーン検出動作オフモード、あるいは、ダイアルトーン検出動作モードをオンモードまたはオフモードに調整するための試行動作を行うダイアルトーン検出動作試行モードの３つのダイアルトーン検出動作モードを備えており、現在、そのいずれの動作を行うかは、例えば、図２（ｂ）に示したダイアルトーン（ＤＴ）検出動作モード情報のダイアルトーン検出モードに記憶される。また、ダイアルトーン検出動作モード情報には、試行モードの試行回数を記憶するための試行モード時の試行回数も記憶される。なお、このダイアルトーン検出動作モード情報は、例えば、パラメータメモリ３に記憶され、このグループ３ファクシミリ装置の出荷時の状態では、未定にされている。
【００２２】
一方、接続される網がアナログ公衆網ＰＳＴＮ、あるいは、内線網の場合で、ダイアルトーン検出のためのパラメータが設定されており、その設定内容は、例えば、図２（ｃ）に示すダイアルトーン検出パラメータ情報に記憶される。なお、このダイアルトーン検出パラメータ情報は、例えば、システムメモリ２に記憶される。
【００２３】
また、内線網に接続された場合、外線へ発呼する際には、所定の外線アクセス番号を、宛先番号の先頭に付加する必要がある。この外線アクセス番号は、例えば、図２（ｄ）に示すような外線アクセス番号情報に設定されている。なお、この外線アクセス番号情報は、例えば、パラメータメモリ３に記憶される。
【００２４】
図３は、送信履歴情報を記憶した送信履歴テーブルの一例を示している。
【００２５】
この場合、宛先毎に送信結果と送信時のダイアルトーン検出モードを記憶する。
【００２６】
図４は、ダイアルトーン検出発信機能設定情報とダイアルトーン検出モード情報の組み合わせにより機器が行うダイアルトーン検出動作の一例を示している。
【００２７】
この場合、ダイアルトーン検出発信機能設定がオンの場合は、現時点での検出モードに従い、オフの場合はダイアルトーン検出せず発呼する。
【００２８】
以上の構成で、ユーザにより、ダイアルトーン検出発信機能設定情報が更新されると、図５に示すような動作を行う。
【００２９】
この場合、ユーザにより、ダイアルトーン検出発信機能設定情報が更新されると（処理１０１）、ダイアルトーン検出動作モード情報のダイアルトーン検出動作モードの値は「試行」に設定され、また、試行回数の値は、「０」に初期化される（処理１０２）。
【００３０】
図６，７は、発呼時の処理の一例を示している。
【００３１】
機器が発呼動作を開始すると、先ずダイアルトーン検出発信機能設定情報をチェックし（判断２０１）、無効な場合は（判断２０１の結果がＮＯ）、番号送出処理（処理２０８）に遷移する。有効な場合は（判断２０１の結果がＹＥＳ）、ダイアルトーン検出動作モード情報に従い以下の処理を行う。
【００３２】
オフモードの場合（判断２０２の結果がＹＥＳ）、番号送出処理（処理２０８）へ遷移する。
【００３３】
オンモードの場合（判断２０２の結果がＮＯ、かつ、判断２０３の結果がＹＥＳ）、ダイアルトーン検出処理（処理２１５）後、ダイアルトーン検出した場合は（判断２１６の結果がＹＥＳ）、番号送出処理（処理２０８）へ遷移し、ダイアルトーン検出できかった場合は（判断２１６の結果がＮＯ）、ダイアルトーン検出不可により発呼中断した事を送信履歴に記憶し発呼処理中断する（処理２１７）。
【００３４】
また、試行モードの場合（判断２０２の結果がＮＯ、かつ、判断２０３の結果がＮＯ）、ダイアルトーン検出処理（処理２０４）後、ダイアルトーン検出した場合は（判断２０５の結果がＹＥＳ）、ダイアルトーン検出動作モードをオンモードに設定し（処理２１１）、番号送出処理（処理２０８）へ遷移する。
【００３５】
一方、ダイアルトーン検出できなかった場合は（判断２０５の結果がＮＯ）、試行回数の値が３以上になっているかどうかを調べ（判断２０６）、判断２０６の結果がＮＯになるときには、試行回数の値を１つ増やし（処理２０６）、番号送出処理（処理２０８）へ遷移する。
【００３６】
また、判断２０６の結果がＹＥＳになるときには、機器接続環境での発呼時のダイアルトーン検出は不可と判断しダイアルトーン検出モードをオフモードに設定する（処理２１０）。そして、番号送出処理（処理２０８）へ遷移する。
【００３７】
番号送出処理（処理２０８）へ遷移する場合は、ダイアルトーン検出モードを画面に表示すると共に送信履歴へ記憶される（処理２０９）。
【００３８】
次に、機器が機器が外線／内線発信可能な構内交換機に接続されている場合の動作について説明する。
【００３９】
この場合、図８に示すように、発呼動作が開始すると、指定された宛先番号の先頭と外線アクセス番号を比較し、一致する場合は、外線宛先への発呼と判断し（判断３０１の結果がＹＥＳ）、所定の外線発呼動作を行う（処理３０２）。また、判断３０１の結果がＮＯになる場合には、内線宛先への発呼と判断し、所定の内線発呼動作を行う（処理３０３）。
【００４０】
なお、処理３０２，３０３において、各々ダイアルトーン検出による発信処理については、図６，７に示した内容が適用される。
【００４１】
以上のように、本実施例では、機器接続環境の変化に応じて（接続交換網の変更など）、オペレータが容易にダイアルトーン検出発信機能を切り替える事ができる。
【００４２】
また、ダイアルトーン検出発信機能が有効設定された場合でも、機器接続環境の要因にて検出できない場合を考慮して、オペレータの操作なく自動で当該機能をオフし、ファクシミリ送信をするようにしているので、機器ダウンタイムをなくすとともに、オペレータのチューニング等の操作をなくすことができる。
【００４３】
また、オペレータによりダイアルトーン検出発信機能が変更された場合でも、機器が自動でダイアルトーン検出発信機能の可否を判断し、動作することができるので、機器ダウンタイムをなくすことができる。
【００４４】
また、機器接続環境の変化により（接続交換網の変更など）、ダイアルトーン検出発信動作が「可」から「不可」になった場合は、速やかにオペレータに通知することができる。
【００４５】
また、機器接続環境に柔軟に対応できるよう発信時各々のタイミングで必要なダイアルトーン検出パラメータが設定可能であり、かつ、機器はそれらを必要なタイミングで参照してダイアルトーン検出発信動作を行うことができる。
【００４６】
また、ダイアルトーン検出発信機能を用いて送信しているか否かを、通信履歴を参照することで、ユーザは、容易に確認することができる。
【００４７】
なお、上述した実施例では、グループ３ファクシミリ装置に本発明を適用した場合について説明したが、本発明は、それ以外のアナログ網を利用する通信装置についても、同様にして適用することができる。
【図面の簡単な説明】
【００４８】
【図１】本発明の一実施例にかかるグループ３ファクシミリ装置を示したブロック図。
【図２】ダイアルトーン検出発信機能設定情報、ダイアルトーン検出動作モード情報、ダイアルトーン検出パラメータ情報、および、外線アクセス番号情報の一例を示した概略図。
【図３】送信履歴テーブルの一例を示した概略図。
【図４】ダイアルトーン検出関連情報設定とダイアルトーン検出動作との関係の一例を示した図。
【図５】ユーザがダイアルトーン検出発信機能設定情報を更新した際の処理の一例を示した概略図。
【図６】発呼時の処理の一例の要部を示したフローチャート（図７へ続く）。
【図７】発呼時の処理の一例の要部を示したフローチャート（図６の続き）。
【図８】機器が機器が外線／内線発信可能な構内交換機に接続されている場合の動作の一例を示したフローチャート。
【符号の説明】
【００４９】
１  システム制御部
２  システムメモリ
３  パラメータメモリ
１０  グループ３ファクシミリモデム
【図１】
2007116222.tif 000003
【図２】
2007116222.tif 000004
【図３】
2007116222.tif 000005
【図４】
2007116222.tif 000006
【図５】
2007116222.tif 000007
【図６】
2007116222.tif 000008
【図７】
2007116222.tif 000009
【図８】
2007116222.tif 000010